(57)【特許請求の範囲】
【請求項１】
土砂の投入直前と投入直後のそれぞれの投入地点の地盤高さの水深測量をナローマルチビームで各投入作業ごとに行ない、土砂投入直後に得られた値と土砂投入直前に得られた値の差を層厚として土砂の投入作業ごとにその累計を過去の累計と共に断面または面として連続的に表示し、その投入作業直前に得られた値とその前の投入作業直後に得られた値との差を地盤の沈下量として土砂の投入作業ごとに累計を過去の累計と共に断面または面として連続的に表示する埋立地の施工管理方法。
【発明の詳細な説明】
【０００１】
【発明の属する技術分野】
本発明は、主としてサンドドレーン工法により地盤改良された地盤上に土砂を投入して埋立を行なう際の埋立地の施工管理方法に関する。
【０００２】
【従来の技術】
従来、サンドドレーン工法により地盤改良した軟弱地盤等に土砂を投入して埋立施工を行なう場合、投入された土砂の荷重が載荷されることにより、サンドドレーン工法により改良された地盤の沈下が促進されることになる。
【０００３】
従来、埋立地の施工管理を行なうために、その地盤上に基板上に目盛付の棒状部材を配置した沈下板をある間隔をおいて立設し、沈下板の目盛をレベル等で読み取ることによって地盤がどれだけ沈下したかを観測すると共に、その地盤上に埋立てられた土砂の高さを測量していた。
【０００４】
しかしながら、上記従来の方法によれば、土砂投入後の地盤の高さと沈下板を設けた場所の沈下量を知ることができても、実際には地盤が投入土砂の荷重で沈下しているので、どの程度の埋立土砂の層厚になっているかは知ることができず、埋立により正常に沈下しているかどうかを判断するのは困難だった。
【０００５】
また、事前に多数の沈下板を土砂投入時に改良地盤上に設置して沈下量を沈下板で測定することが従来行なわれているが、沈下板を細かい間隔で多数設置することは土砂の投入時に邪魔になるという問題があると共に、沈下板を設置した地点でしか沈下量を測定することができないという問題もあった。
【０００６】
【発明が解決しようとする課題】
本発明は、投入した埋立土砂による地盤の沈下量を面的に測定することができ、また埋立により発生した沈下異常箇所を容易に発見できると共に、均一な載荷となるように土砂を投入することで地盤の不同沈下を防止することのできる埋立地の施工管理方法を提供する。
【０００７】
【課題を解決するための手段】
本発明は、土砂の投入直前と投入直後のそれぞれの投入地点の地盤高さの水深測量をナローマルチビームで各投入作業ごとに行ない、土砂投入直後に得られた値と土砂投入直前に得られた値の差を層厚として土砂の投入作業ごとにその累計を過去の累計と共に断面または面として連続的に表示し、その投入作業直前に得られた値とその前の投入作業直後に得られた値との差を地盤の沈下量として土砂の投入作業ごとに累計を過去の累計と共に断面または面として連続的に表示する埋立地の施工管理方法からなる。
【０００８】
【発明の実施の形態】
以下図面を参照して本発明の埋立地の施工管理方法について説明する。
【０００９】
図１は本発明の施工管理方法を適用した測量システムを示す概略斜視図であり、サンドドレーン工法により改良された水底地盤上に土砂を投入して埋立を行なう際の地盤８の高さの深浅測量を行なっているが、図示されていないバージ等で土砂の投入直前と投入直後のそれぞれの投入地点の地盤８の高さを測量船３に搭載したナローマルチビーム２を用いた測深ソナーで各投入作業ごとに深浅測量を行ない、それぞれ得られた値を投入ごとに図中４で示すごとく無線伝送するが、この測量船３にはリアルタイムキネマティック（以下ＲＫＴと表記する）−ＧＰＳのアンテナ１と図示されていないジャイロコンパスが装備されているので、その測量位置の三次元座標と方向もリアルタイムに測定され伝送される。
【００１０】
以上のごときナローマルチビーム２を用いた測深ソナーやＲＫＴ−ＧＰＳを用いて地盤８の高さと位置を測量する技術は既に公知であるが、本発明においては、土砂の投入直前と投入直後それぞれの投入地点の地盤８の高さの深浅測量をそれぞれの土砂投入作業ごとに行ない、図２に示すように、得られた土砂投入直後の値を地盤高さＨとして、土砂投入作業ごとにその累計を過去の累計と共に表示し、土砂投入直後に得られた値と土砂投入直前に得られた値との差を層厚Ｄとして、土砂投入作業ごとにその累計を過去の累計と共に表示し、その土砂投入直前に得られた値とその前の土砂投入直後に得られた値との差を沈下量Ｓとして、土砂投入作業ごとにその累計を過去の累計と共に表示する。
【００１１】
なお、土砂の投入から次回の土砂の投入まで、所定期間例えば２週間以上間隔があいてしまう場合は、１週間に１回程度の頻度で、沈下量を測定するために土砂投入地点の地盤高さの深浅測量をナローマルチビームで行なう。このときに得られた値を用いて、前回の土砂の投入作業直後の値とこのときに得られた値との差およびこのときに得られた値と次回の投入作業直前に得られた値との差を求めることができ、それぞれの時点で、沈下量の累計を表示することを追加して行なう。
【００１２】
図２は一つの断面を表示しているが、土砂投入直前および直後に行う深浅測量で得られるデータは面として得られるため、これを図３のように層厚Ｄと沈下量Ｓを平面図として表示したり、図４のように層厚Ｄと沈下量Ｓを三次元表示することも可能である。このように表示することによって、均等に沈下させるためには、次にどの位置に土砂を投入すればよいかが判明し、適切な場所に土砂を投入することができる。
【００１３】
さらに、層厚がほぼ同一な場所で沈下量Ｓが異なる場合は、何らかの異常が発生していることになり、速やかに対策を検討することができる。
【００１４】
なお、図２の地盤高さＨ・施工層厚Ｄ・沈下量Ｓの断面図において、Ｘで示すのは地盤高さＨの設計断面であり、Ｙで示すのは層厚Ｄの設計層厚である。
【００１５】
また、本発明では必要に応じて、事前に沈下板５，６，７を図２に便宜的に示すように適宜な間をおいて設置しておくことにより、図２のＺで示すそれらの沈下板５，６，７による沈下量を確認チェックすることにより、沈下量Ｓの正誤性を確認し管理することができ、この場合の沈下板５，６，７は従来のごとく多数設置する必要はない。
【００１６】
以上本発明によれば、土砂の投入前後に地盤高さの深浅測量を実施し、各測量データ間の変化量を累計することにより、施工層厚Ｄおよび沈下量Ｓを把握することができ、沈下板５，６，７が設置されない地点でも計算以外の方法で施工層厚Ｄ及び沈下量Ｓを把握することができる。
【００１７】
【発明の効果】
以上に説明した本発明の埋立地の施工管理方法によれば、従来沈下板を設置した地点しか沈下量を測定することができなかったのに対して、本発明では面的に沈下量の測定ができる。
【００１８】
また、本発明では、土砂の投入による載荷履歴と地盤の沈下量が判るので、沈下異常箇所を発見することができ、さらに均一となるように土砂を投入することで地盤の不同沈下を防止することもできる。
【図面の簡単な説明】
【図１】本発明の施工管理方法に適用した測量システムを示す概略斜視図である。
【図２】図１のシステムで得られた測量値を表示した地盤の各高さを示す断面図であり、Ａは地盤高、Ｂは層厚、Ｃは沈下量を示す。
【図３】図２の平面表示図であり、Ａは層厚、Ｂは沈下量を示す。
【図４】図２の施工層厚・沈下量の三次元表示図であり、Ａは層厚、Ｂは沈下量を示す。
【符号の説明】
２    ナローマルチビーム
５    沈下板
６    沈下板
７    沈下板
８    地盤
Ｄ    層厚
Ｈ    地盤高さ
Ｓ    沈下量
【図１】
0003685708.tif 000002
【図２】
0003685708.tif 000003
【図３】
0003685708.tif 000004
【図４】
0003685708.tif 000005